(57)【要約】【課題】ユーザが指定した図形部分の値を簡単に変更し容易に図形を変化させて表示させることが可能な図形描画装置を提供する。【解決手段】図形描画エリアＤにて描画して表示させたユーザ任意の図形（三角形ＡＢＣ）について、測定対象の図形部品（２辺；ＡＢ，ＢＣ）を選択すると、当該選択された図形部品に応じて測定可能な項目（角度Ｉａ、補角Ｉｂ、等辺Ｉｃ、距離Ｉｄ）を示すアイコンの一覧（測定項目リストＬＩ）が表示される。このリストＬＩにおいて、現在選択中の図形部品を対象に数値変更が可能な測定項目のアイコンが選択された場合は、当該測定項目の数値を簡単に変更するためのスライダＳＬの使用が可能であることを示すスライダアイコンＩｓが当該リストＬＩに付加されて表示され、このスライダアイコンＩｓを選択することで、該当するスライダＳＬが前記図形描画エリアＤの空き領域に表示される。【選択図】      図８
2018097896.tif 000002
【特許請求の範囲】
【請求項１】
表示部に描画された少なくとも１つの図形部分に応じた測定項目を前記表示部に表示させる測定情報表示手段と、
前記測定情報表示手段により表示された測定項目が、当該測定項目の値を変更するためのスライダが設定可能な種類の測定項目である場合は、前記スライダを設定するためのスライダ識別子を前記表示部に表示させるスライダ識別子表示手段と、
前記スライダ識別子表示手段により表示されたスライダ識別子に対するユーザ操作を受け付けて、前記スライダを前記表示部に表示させるスライダ表示手段と、
前記表示部に描画された図形の部分に対するユーザ選択操作を受け付ける図形部分選択手段と、
前記スライダ表示手段により表示されたスライダに対するユーザ操作を受け付けて、前記測定情報表示手段により表示された測定項目の値を変更し前記表示部に描画された図形を変化させる図形描画変化手段と、
を備え、
前記測定情報表示手段は、
前記図形部分選択手段により選択された図形部分に応じた測定項目と当該測定項目の測定値を前記表示部に表示させる選択図形部分情報表示手段と、
前記図形部分選択手段により選択された図形部分に応じた複数種類の値の測定項目を一覧表示させる測定項目一覧表示手段と、
前記測定項目一覧表示手段により一覧表示された複数種類の測定項目からユーザ操作に応じて選択された測定項目と当該測定項目の測定値を表示させる選択測定項目情報表示手段と、
を有する、
ことを特徴とする図形描画装置。
【請求項２】
表示部に描画された少なくとも１つの図形部分に応じた測定項目を前記表示部に表示させる測定情報表示手段と、
前記測定情報表示手段により表示された測定項目が、当該測定項目の値を変更するためのスライダが設定可能な種類の測定項目である場合は、前記スライダを設定するためのスライダ識別子を前記表示部に表示させるスライダ識別子表示手段と、
前記スライダ識別子表示手段により表示されたスライダ識別子に対するユーザ操作を受け付けて、前記スライダを前記表示部に表示させるスライダ表示手段と、
前記表示部に描画された図形の部分に対するユーザ選択操作を受け付ける図形部分選択手段と、
前記スライダ表示手段により表示されたスライダに対するユーザ操作を受け付けて、前記測定情報表示手段により表示された測定項目の値を変更し前記表示部に描画された図形を変化させる図形描画変化手段と、
前記図形部分選択手段により選択された図形部分に応じた複数種類の値の測定項目のうち予め定められたスライダ設定可能な種類の測定項目を一覧表示させるスライダ可能測定項目表示手段と、
を備え、
前記測定情報表示手段は、
前記図形部分選択手段により選択された図形部分に応じた測定項目と当該測定項目の測定値を前記表示部に表示させる選択図形部分情報表示手段を有し、
前記スライダ表示手段は、
前記スライダ識別子表示手段により表示されたスライダ識別子のユーザ操作に応じて、前記スライダを表示させる第１のスライダ表示手段と、
前記スライダ可能測定項目表示手段により一覧表示された測定項目のうちユーザ操作に応じて選択された測定項目の値を変更するためのスライダを表示させる第２のスライダ表示手段と、
を有する、
ことを特徴とする図形描画装置。
【請求項３】
前記図形部分選択手段により選択された図形部分に応じてスライダ設定可能な種類の測定項目は、当該図形部分が１辺の場合は当該１辺の長さの測定項目であり、当該図形部分が２辺の場合は当該２辺のなす角度又は補角又は距離の測定項目であり、当該図形部分が円の場合は当該円の半径の測定項目である、
ことを特徴とする請求項１または２に記載の図形描画装置。
【請求項４】
前記表示部と、キー群またはタッチパネルを備え、前記キー群またはタッチパネルに対して前記ユーザ操作が行われる、
ことを特徴とする請求項１〜３の何れか１項に記載の図形描画装置。
【請求項５】
表示部を備えた電子機器の図形描画方法であって、
前記表示部に描画された少なくとも１つの図形部分に応じた測定項目を前記表示部に表示させる測定情報表示ステップと、
前記測定情報表示ステップにより表示された測定項目が、当該測定項目の値を変更するためのスライダが設定可能な種類の測定項目である場合は、前記スライダを設定するためのスライダ識別子を前記表示部に表示させるスライダ識別子表示ステップと、
前記スライダ識別子表示ステップにより表示されたスライダ識別子に対するユーザ操作を受け付けて、前記スライダを前記表示部に表示させるスライダ表示ステップと、
前記表示部に描画された図形の部分に対するユーザ選択操作を受け付ける図形部分選択ステップと、
前記スライダ表示ステップにより表示されたスライダに対するユーザ操作を受け付けて、前記測定情報表示ステップにより表示された測定項目の値を変更し前記表示部に描画された図形を変化させる図形描画変化ステップと、
を含み、
前記測定情報表示ステップは、
前記図形部分選択ステップにより選択された図形部分に応じた測定項目と当該測定項目の測定値を前記表示部に表示させる選択図形部分情報表示ステップと、
前記図形部分選択ステップにより選択された図形部分に応じた複数種類の値の測定項目を一覧表示させる測定項目一覧表示ステップと、
前記測定項目一覧表示ステップにより一覧表示された複数種類の測定項目からユーザ操作に応じて選択された測定項目と当該測定項目の測定値を表示させる選択測定項目情報表示ステップと、
を含む、
図形描画方法。
【請求項６】
表示部を備えた電子機器の図形描画方法であって、
前記表示部に描画された少なくとも１つの図形部分に応じた測定項目を前記表示部に表示させる測定情報表示ステップと、
前記測定情報表示ステップにより表示された測定項目が、当該測定項目の値を変更するためのスライダが設定可能な種類の測定項目である場合は、前記スライダを設定するためのスライダ識別子を前記表示部に表示させるスライダ識別子表示ステップと、
前記スライダ識別子表示ステップにより表示されたスライダ識別子に対するユーザ操作を受け付けて、前記スライダを前記表示部に表示させるスライダ表示ステップと、
前記表示部に描画された図形の部分に対するユーザ選択操作を受け付ける図形部分選択ステップと、
前記スライダ表示ステップにより表示されたスライダに対するユーザ操作を受け付けて、前記測定情報表示ステップにより表示された測定項目の値を変更し前記表示部に描画された図形を変化させる図形描画変化ステップと、
前記図形部分選択ステップにより選択された図形部分に応じた複数種類の値の測定項目のうち予め定められたスライダ設定可能な種類の測定項目を一覧表示させるスライダ可能測定項目表示ステップと、
を含み、
前記測定情報表示ステップは、
前記図形部分選択ステップにより選択された図形部分に応じた測定項目と当該測定項目の測定値を前記表示部に表示させる選択図形部分情報表示ステップを含み、
前記スライダ表示ステップは、
前記スライダ識別子表示ステップにより表示されたスライダ識別子のユーザ操作に応じて、前記スライダを表示させる第１のスライダ表示ステップと、
前記スライダ可能測定項目表示ステップにより一覧表示された測定項目のうちユーザ操作に応じて選択された測定項目の値を変更するためのスライダを表示させる第２のスライダ表示ステップと、
を含む、
図形描画方法。
【請求項７】
表示部を備えた電子機器のコンピュータを制御するためのプログラムであって、
前記コンピュータを、
前記表示部に描画された少なくとも１つの図形部分に応じた測定項目を前記表示部に表示させる測定情報表示手段、
前記測定情報表示手段により表示された測定項目が、当該測定項目の値を変更するためのスライダが設定可能な種類の測定項目である場合は、前記スライダを設定するためのスライダ識別子を前記表示部に表示させるスライダ識別子表示手段、
前記スライダ識別子表示手段により表示されたスライダ識別子に対するユーザ操作を受け付けて、前記スライダを前記表示部に表示させるスライダ表示手段、
前記表示部に描画された図形の部分に対するユーザ選択操作を受け付ける図形部分選択手段、
前記スライダ表示手段により表示されたスライダに対するユーザ操作を受け付けて、前記測定情報表示手段により表示された測定項目の値を変更し前記表示部に描画された図形
を変化させる図形描画変化手段、
として機能させ、
前記測定情報表示手段を、
前記図形部分選択手段により選択された図形部分に応じた測定項目と当該測定項目の測定値を前記表示部に表示させる選択図形部分情報表示手段、
前記図形部分選択手段により選択された図形部分に応じた複数種類の値の測定項目を一覧表示させる測定項目一覧表示手段、
前記測定項目一覧表示手段により一覧表示された複数種類の測定項目からユーザ操作に応じて選択された測定項目と当該測定項目の測定値を表示させる選択測定項目情報表示手段、
として機能させるためのコンピュータ読み込み可能なプログラム。
【請求項８】
表示部を備えた電子機器のコンピュータを制御するためのプログラムであって、
前記コンピュータを、
前記表示部に描画された少なくとも１つの図形部分に応じた測定項目を前記表示部に表示させる測定情報表示手段、
前記測定情報表示手段により表示された測定項目が、当該測定項目の値を変更するためのスライダが設定可能な種類の測定項目である場合は、前記スライダを設定するためのスライダ識別子を前記表示部に表示させるスライダ識別子表示手段、
前記スライダ識別子表示手段により表示されたスライダ識別子に対するユーザ操作を受け付けて、前記スライダを前記表示部に表示させるスライダ表示手段、
前記表示部に描画された図形の部分に対するユーザ選択操作を受け付ける図形部分選択手段、
前記スライダ表示手段により表示されたスライダに対するユーザ操作を受け付けて、前記測定情報表示手段により表示された測定項目の値を変更し前記表示部に描画された図形を変化させる図形描画変化手段、
前記図形部分選択手段により選択された図形部分に応じた複数種類の値の測定項目のうち予め定められたスライダ設定可能な種類の測定項目を一覧表示させるスライダ可能測定項目表示手段、
として機能させ、
前記測定情報表示手段を、
前記図形部分選択手段により選択された図形部分に応じた測定項目と当該測定項目の測定値を前記表示部に表示させる選択図形部分情報表示手段として機能させ、
前記スライダ表示手段を、
前記スライダ識別子表示手段により表示されたスライダ識別子のユーザ操作に応じて、前記スライダを表示させる第１のスライダ表示手段、
前記スライダ可能測定項目表示手段により一覧表示された測定項目のうちユーザ操作に応じて選択された測定項目の値を変更するためのスライダを表示させる第２のスライダ表示手段、
として機能させるためのコンピュータ読み込み可能なプログラム。
【発明の詳細な説明】
【技術分野】
【０００１】
本発明は、任意の図形を描画させるのに好適な図形描画装置、図形描画方法およびその制御プログラムに関する。
【背景技術】
【０００２】
従来の図形表示装置において、任意に表示させた図形の部分を容易に指定して選択し、この選択された図形部分である辺や角の長さ，大きさを測定してその値を表示することが考えられている（例えば、特許文献１参照。）。
【先行技術文献】
【特許文献】
【０００３】
【特許文献１】特開２０１２−１４４４０号公報
【発明の概要】
【発明が解決しようとする課題】
【０００４】
前記従来の図形表示装置では、図形の辺や角の部分を指定し、その指定した辺の長さや角の大きさを測定してその値を表示させることができる。
【０００５】
しかしながら、当該指定した辺の長さや角の大きさを簡単な操作で順次変更しながら前記図形を変化させることはできなかった。
【０００６】
本発明は、このような課題に鑑みなされたもので、ユーザが指定した図形部分の値を簡単に変更し容易に図形を変化させて表示させることが可能になる図形描画装置、図形描画方法およびその制御プログラムを提供することを目的とする。
【課題を解決するための手段】
【０００７】
本発明に係る図形描画装置は、表示部に描画された少なくとも１つの図形部分に応じた測定項目を前記表示部に表示させる測定情報表示手段と、前記測定情報表示手段により表示された測定項目が、当該測定項目の値を変更するためのスライダが設定可能な種類の測
定項目である場合は、前記スライダを設定するためのスライダ識別子を前記表示部に表示させるスライダ識別子表示手段と、前記スライダ識別子表示手段により表示されたスライダ識別子に対するユーザ操作を受け付けて、前記スライダを前記表示部に表示させるスライダ表示手段と、前記表示部に描画された図形の部分に対するユーザ選択操作を受け付ける図形部分選択手段と、前記スライダ表示手段により表示されたスライダに対するユーザ操作を受け付けて、前記測定情報表示手段により表示された測定項目の値を変更し前記表示部に描画された図形を変化させる図形描画変化手段と、を備え、前記測定情報表示手段は、前記図形部分選択手段により選択された図形部分に応じた測定項目と当該測定項目の測定値を前記表示部に表示させる選択図形部分情報表示手段と、前記図形部分選択手段により選択された図形部分に応じた複数種類の値の測定項目を一覧表示させる測定項目一覧表示手段と、前記測定項目一覧表示手段により一覧表示された複数種類の測定項目からユーザ操作に応じて選択された測定項目と当該測定項目の測定値を表示させる選択測定項目情報表示手段と、を有する、ことを特徴としている。
【発明の効果】
【０００８】
本発明によれば、ユーザが指定した図形部分の値を簡単に変更し容易に図形を変化させて表示させることが可能になる。
【図面の簡単な説明】
【０００９】
【図１】本発明の図形描画装置の実施形態に係るグラフ関数・図形電卓１０の外観構成を示す正面図。
【図２】前記グラフ関数・図形電卓１０のエミュレータを搭載したタブレット端末１０Ｔの外観構成を示す正面図であり、当該グラフ関数・図形電卓１０のエミュレータ画面ＥＭを示している。
【図３】前記グラフ関数・図形電卓１０の回路構成を示すブロック図。
【図４】前記グラフ関数・図形電卓１０の図形モードにより実行される図形表示制御処理（その１）を示すフローチャート。
【図５】前記グラフ関数・図形電卓１０の図形モードにより実行される図形表示制御処理（その２）を示すフローチャート。
【図６】前記グラフ関数・図形電卓１０の図形モードにより実行される図形表示制御処理（その３）を示すフローチャート。
【図７】前記グラフ関数・図形電卓１０の図形モードにより実行される図形表示制御処理（その４）を示すフローチャート。
【図８】前記グラフ関数・図形電卓１０の図形表示制御処理に基づくユーザ操作に応じた表示動作（その１）を示す図。
【図９】前記グラフ関数・図形電卓１０の図形表示制御処理に基づくユーザ操作に応じた表示動作（その２）を示す図。
【図１０】前記グラフ関数・図形電卓１０の図形表示制御処理に基づくユーザ操作に応じた表示動作（その３）を示す図。
【発明を実施するための形態】
【００１０】
以下図面により本発明の実施の形態について説明する。
【００１１】
図１は、本発明の図形描画装置の実施形態に係るグラフ関数・図形電卓１０の外観構成を示す正面図である。
【００１２】
この図形描画装置は、以下に説明する専用のグラフ関数・図形電卓１０において実施されるか、図形表示機能を有するタブレット端末、携帯電話、携帯ゲーム機等として構成される。
【００１３】
図２は、前記グラフ関数・図形電卓１０のエミュレータを搭載したタブレット端末１０Ｔの外観構成を示す正面図であり、当該グラフ関数・図形電卓１０のエミュレータ画面ＥＭを示している。
【００１４】
このグラフ関数・図形電卓１０は、入力された関数式とその関数式に応じたグラフ画像を表示させる機能、入力された図形を表示させる機能を備えている。
【００１５】
このグラフ関数・図形電卓１０の本体には、本体正面の下半分程度の範囲でキー入力部１２が設けられ、上半分程度の範囲でタッチパネル表示部１３が設けられる。
【００１６】
前記キー入力部１２には、数値・記号キー、関数・演算子キー、カーソルキーなどが備えられる。
【００１７】
前記数値・記号キーは、各種の数字キーや記号キーを配列した数値・記号の入力用キー群からなる。
【００１８】
前記関数・演算子キーは、演算式や関数式を入力する際に操作される各種の関数記号キーや、［＋］［−］［×］［÷］［＝］などの演算子キーからなる。
【００１９】
前記タッチパネル表示部１３は、カラー表示可能な液晶表示画面１３ｄの上に、透明タッチパネル１３ｔを重ねて構成される。
【００２０】
このグラフ関数・図形電卓１０は、前記タッチパネル表示部１３の上端に沿って表示されるメニューボタン[Menu]のタッチ操作に応じて、図１に示すようなメインメニューＭが表示され、このメインメニューＭに表示された各種のアイコンを選択的にタッチ操作することで、タッチされたアイコンに応じた機能の動作モードになる。
【００２１】
この実施形態では、[Geometry]アイコンＧＭにより起動される図形表示機能の動作モード（図形モード）について説明する。
【００２２】
この図形モードは、例えば図２に示すように、図形画面Ｇの描画[Draw]機能により開かれた図形描画エリアＤにおいて、任意の図形（ここでは三角形ＡＢＣ）を描画する機能、描画された図形の図形部品（辺ＡＢ，辺ＢＣ）を選択しその選択された図形部品に選択マークｍを付加すると共に当該図形部品を太線にして識別表示させる機能、前記選択された図形部品（辺ＡＢ，辺ＢＣ）に基づき測定可能な数値の項目（測定項目：ここでは辺ＡＢと辺ＢＣのなす角度）を測定項目アイコン（角度アイコンＩａ）により指定し、測定ボックスＭにその測定値（３０°）を表示させる機能、前記測定項目の数値をユーザ操作に応じて変更するスライダ（操作表示体）ＳＬ[Angle]を表示させる機能、前記スライダＳＬ[Angle]のつまみＴや増減ボタンＢｕ，Ｂｄの操作により前記測定項目の数値を変更し前記図形を変化させて表示させる機能等を有する。
【００２３】
図３は、前記グラフ関数・図形電卓１０の回路構成を示すブロック図である。
【００２４】
前記グラフ関数・図形電卓１０は、マイクロコンピュータであるＣＰＵ１１を備えている。
【００２５】
前記ＣＰＵ１１は、フラッシュＲＯＭ等の記憶装置１４に予め記憶された電卓制御プログラム１４ａ、あるいはメモリカードなどの外部記録媒体１７から記録媒体読取部１６を介して前記記憶装置１４に読み込まれた電卓制御プログラム１４ａ、あるいは通信ネットワーク（インターネット）上のＷｅｂサーバ（プログラムサーバ）から通信制御部１８を介して前記記憶装置１４にダウンロードされた電卓制御プログラム１４ａに従い、ＲＡＭ１５を作業用のメモリとして回路各部の動作を制御し、電卓機能や関数グラフ描画機能、図形描画機能など、本グラフ関数・図形電卓１０に備えられた各種の機能を実行する。
【００２６】
このＣＰＵ１１には、図１（図２）に示したキー入力部１２、タッチパネル表示部１３の他に、前記記憶装置１４、ＲＡＭ１５、記録媒体読取部１６、通信制御部１８などが接続されている。
【００２７】
前記ＲＡＭ１５は、前記ＣＰＵ１１の処理動作に必要な各種のデータを記憶する。このＲＡＭ１５には、前記タッチパネル表示部１３の画面上にカラー表示されるデータが展開される表示データ記憶領域１５ａの他、タッチ座標データ記憶領域１５ｂ、レンジデータ記憶領域１５ｃ、図形データ記憶領域１５ｄ、測定部品データ記憶領域１５ｅ、測定項目データ記憶領域１５ｆ、スライダパターンテーブル１５ｇ、スライダデータ記憶領域１５ｈ等が設けられる。
【００２８】
前記タッチ座標データ記憶領域１５ｂには、前記タッチパネル表示部１３により検出されたユーザ操作に応じたタッチ位置の座標データが記憶される。
【００２９】
前記レンジデータ記憶領域１５ｃには、前記グラフモードにおいてタッチパネル表示部１３のグラフ描画エリアに対して設定されるグラフの表示範囲を示すＸ座標レンジ（Ｘｍｉｎ〜Ｘｍａｘ）とＹ座標レンジ（Ｙｍｉｎ〜Ｙｍａｘ）が記憶される。
【００３０】
前記図形データ記憶領域１５ｄには、前記図形描画エリアＤにおいて描画された図形のデータが当該図形を構成する部品の組み合わせとして記憶される。
【００３１】
前記測定部品データ記憶領域１５ｅには、前記図形描画エリアＤに表示された図形に対しユーザ操作に応じて選択された測定対象の部品（図形部品）に関するデータが記憶される。
【００３２】
前記測定項目データ記憶領域１５ｆには、前記測定部品データ記憶領域１５ｅに記憶された前記図形の測定対象の部品（図形部品）に応じて測定可能な数値の項目（測定項目；長さ，角度，補角，傾き、傾斜角，距離，半径，円周，面積，式等）が記憶される。
【００３３】
前記スライダパターンテーブル１５ｇには、前記測定項目データ記憶領域１５ｆに記憶された各測定項目を対象に、その数値をユーザ操作に応じて変更するための操作表示体である前記スライダＳＬのパターンに関するデータが、その形状、色、そのつまみＴによる可変ステップ数、その増減ボタンＢｕ，Ｂｄによる可変ステップ数に関するデータと共に記憶される。
【００３４】
前記スライダデータ記憶領域１５ｈには、前記スライダパターンに基づき表示されるスライダＳＬの前記測定項目の数値に関する可変最小値(Min)、可変最大値(Max)、現在値(Current)、つまみＴによる単位変化量(Dot)、増減ボタンＢｕ，Ｂｄによる単位変化量(Step)が記憶される。
【００３５】
なお、前記増減ボタンＢｕ，Ｂｄによる単位変化量(Step)は、当該増ボタン［→］Ｂｕまたは減ボタン［←］Ｂｄに対する１回のタッチ（クリック）操作に応じた増加または減少の数値変化量であり、これとは別に、前記つまみＴによる単位変化量(Dot)は、当該つまみＴの移動範囲（最小値(Min)〜最大値(Max)）における１表示ドット分の移動幅に対応した数値変化量である。
【００３６】
ここで、前記スライダＳＬの増ボタン［→］Ｂｕまたは減ボタン［←］Ｂｄに対する１回のタッチ（クリック）操作に応じた単位変化量(Step)をステップ単位、前記スライダＳＬのつまみＴの移動範囲における１表示ドット分の移動幅に対応した単位変化量(Dot)をドット単位と定義する。
【００３７】
このように構成されたグラフ関数・図形電卓１０は、前記ＣＰＵ１１が前記電卓制御プログラム１４ａに記述された各種の処理の命令に従い回路各部の動作を制御し、ソフトウエアとハードウエアとが協働して動作することにより、以下の動作説明で述べる各種の機能を実現する。
【００３８】
次に、前記構成のグラフ関数・図形電卓１０の動作について説明する。
【００３９】
図４は、前記グラフ関数・図形電卓１０の図形モードにより実行される図形表示制御処理（その１）を示すフローチャートである。
【００４０】
図５は、前記グラフ関数・図形電卓１０の図形モードにより実行される図形表示制御処理（その２）を示すフローチャートである。
【００４１】
図６は、前記グラフ関数・図形電卓１０の図形モードにより実行される図形表示制御処理（その３）を示すフローチャートである。
【００４２】
図７は、前記グラフ関数・図形電卓１０の図形モードにより実行される図形表示制御処理（その４）を示すフローチャートである。
【００４３】
図８は、前記グラフ関数・図形電卓１０の図形表示制御処理に基づくユーザ操作に応じた表示動作（その１）を示す図である。
【００４４】
図９は、前記グラフ関数・図形電卓１０の図形表示制御処理に基づくユーザ操作に応じた表示動作（その２）を示す図である。
【００４５】
図１０は、前記グラフ関数・図形電卓１０の図形表示制御処理に基づくユーザ操作に応じた表示動作（その３）を示す図である。
【００４６】
前記図１で示したように、タッチパネル表示部１３に表示されたメインメニューＭから[Geometry]アイコンＧＭがタッチ操作され図形モードに設定されると、図４〜図７における図形表示制御処理が起動される。
【００４７】
この図形表示制御処理が起動された前記タッチパネル表示部１３の図形画面Ｇにおいて、ユーザ操作に応じて、描画[Draw]機能が選択され（ステップＳ１（Ｙｅｓ））、基本図形(Basic Object)機能が選択され（ステップＳ２（Ｙｅｓ））、図形の種類が選択されると（ステップＳ３）、図８（Ａ）に示すように、当該選択された種類（ここでは三角形）の図形を描画可能な図形描画エリアＤが表示される。
【００４８】
この図形描画エリアＤにおいて、ユーザ任意の三角形に対応した頂点Ａ，Ｂ，Ｃがペンタッチされて入力されると（ステップＳ４）、当該入力された各頂点に対応した三角形（ＡＢＣ）が描画されて表示される（ステップＳ５）。
【００４９】
この三角形（ＡＢＣ）について、その頂点Ｂの角度（内角）を測定するために、図形部品である辺（ＡＢ）と辺（ＢＣ）とがそれぞれペンタッチＰ１，Ｐ２されて選択されると（ステップＳ１９（Ｙｅｓ））、この選択された辺（ＡＢ）と辺（ＢＣ）の線種が太線に変更されると共に、当該各辺（ＡＢ）（ＢＣ）に選択状態マークｍが付加されて識別表示される（ステップＳ２０）。
【００５０】
この際、前記図形画面Ｇ上部の測定ボックスＭには、その測定項目を角度に設定する角度アイコンＩａがデフォルトで表示されると共に、前記選択された辺（ＡＢ）と辺（ＢＣ）との成す角度“32.3597”が測定されて表示される。
【００５１】
ここで、図８（Ｂ）に示すように、前記測定ボックスＭの測定機能ボタンＢがペンタッチＰ１されて選択されると（ステップＳ２１（Ｙｅｓ））、前記選択状態の図形部品が２辺（ＡＢ）（ＢＣ）であることが判断され（ステップＳ４０（Ｙｅｓ））、当該２辺の図形部品から測定可能な項目（角度、補角、等辺？、距離）を各アイコン（角度Ｉａ、補角Ｉｂ、等辺？Ｉｃ、距離Ｉｄ）で示した測定項目リストＬＩが表示される（ステップＳ４１）。
【００５２】
この測定項目リストＬＩにおいて、現在設定中の測定項目に対応したアイコン（ここでは角度アイコンＩａ）は反転されて識別表示される（ステップＳ４２）。
【００５３】
ここで、例えば図８（Ｆ）に示すように、前記測定項目リストＬＩから何れかの測定項目（ここでは補角アイコンＩｂ）がペンタッチされて選択されると（ステップＳ４３（Ｙｅｓ））、現在設定中の測定項目（角度Ｉａ）が当該選択された測定項目（補角Ｉｂ）に変更され（ステップＳ４４）、図９（Ａ）に示すように、前記測定ボックスＭに、変更された測定項目の補角アイコンＩｂとその測定値“150”が表示される（ステップＳ４５）。
【００５４】
また、現在設定中の測定項目が角度、補角、距離の何れかであるか否か、つまり前記選択された図形部品（２辺（ＡＢ）（ＢＣ））を対象に数値変更が可能な測定項目であるか否かが判断される（ステップＳ４６）。
【００５５】
ここで、前記図８（Ｂ）あるいは図８（Ｆ）で示したように、現在設定中の測定項目が角度、補角、距離の何れかであり、前記選択された図形部品（２辺（ＡＢ）（ＢＣ））を対象に数値変更が可能な測定項目であると判断されると（ステップＳ４６（Ｙｅｓ））、当該測定項目の数値を簡単に変更するためのスライダＳＬの使用が可能であることを示すスライダアイコンＩｓが前記測定項目リストＬＩに付加されて表示される（ステップＳ４７）。
【００５６】
そして、前記図８（Ｂ）で示したように、測定項目が角度（Ｉａ）に設定された状態でのスライダアイコンＩｓがペンタッチＰ２されて選択されると（ステップＳ４８（Ｙｅｓ））、図８（Ｃ）に示すように、当該角度を変更するスライダＳＬ[Angle]が、前記スライダパターンテーブル１５ｇおよびスライダデータ記憶領域１５ｈの各データに基づき前記図形描画エリアＤの空き領域（デフォルトでは右下）に表示される（ステップＳ４９）。
【００５７】
ここで、図８（Ｄ）に示すように、前記スライダＳＬ[Angle]のつまみＴがペンタッチＰされて移動されると（ステップＳ２２，Ｓ２３（Ｙｅｓ））、当該つまみＴの移動に伴うドット単位の変化量(Dot)に基づきその移動後の位置に対応した数値“60”が設定され（ステップＳ２４）、この設定された数値“60”に前記測定ボックスＭに表示されている測定項目（角度）の数値が変更される（ステップＳ２７）。
【００５８】
すると、この測定項目（角度）の数値変更“30”→“60”に応じて、前記選択状態の図形部品（辺（ＡＢ）と辺（ＢＣ））の成す角度が変更され、その三角形（ＡＢＣ）が変形されて表示される（ステップＳ２８）。
【００５９】
さらに、図８（Ｅ）に示すように、前記スライダＳＬ[Angle]の減ボタンＢｄがペンタッチＰされると（ステップＳ２２，Ｓ２５（Ｙｅｓ））、当該増減ボタンＢｕ，Ｂｄのタッチ操作に伴うステップ単位の変化量(Step)に基づき増減した数値“30”が設定され（ステップＳ２６）、この設定された数値“30”に前記測定ボックスＭに表示されている測定項目（角度）の数値が変更される（ステップＳ２７）。
【００６０】
すると、前記つまみＴを操作した場合と同様に、この測定項目（角度）の数値変更“60”→“30”に応じて、前記選択状態の図形部品（辺（ＡＢ）と辺（ＢＣ））の成す角度が変更され、その三角形（ＡＢＣ）が変形されて表示される（ステップＳ２８）。
【００６１】
また、前記図９（Ａ）で示したように、測定項目が補角（Ｉｂ）に設定され、測定項目の補角アイコンＩｂとその測定値“150”が表示された状態でのスライダアイコンＩｓがペンタッチＰ２されて選択された場合も（ステップＳ４８（Ｙｅｓ））、図９（Ｂ）に示すように、当該補角を変更するスライダＳＬ[SuppAngl](Supplementary Angleの略)が表示される（ステップＳ４９）。
【００６２】
ここで、前記スライダＳＬ[SuppAngl]の減ボタンＢｄがペンタッチＰされると（ステップＳ２２，Ｓ２５（Ｙｅｓ））、図９（Ｃ）に示すように、当該増減ボタンＢｕ，Ｂｄのタッチ操作に伴うステップ単位の変化量(Step)に基づき増減した数値“120”が設定され（ステップＳ２６）、この設定された数値“120”に前記測定ボックスＭに表示されている測定項目（補角）の数値が変更される（ステップＳ２７）。
【００６３】
そして、前記同様に、この測定項目（補角）の数値変更“150”→“120”に応じて、前記選択状態の図形部品（辺（ＡＢ）と辺（ＢＣ））の成す角度が変更され、その三角形（ＡＢＣ）が変形されて表示される（ステップＳ２８）。
【００６４】
一方、図９（Ｄ）に示すように、前記三角形（ＡＢＣ）の２辺（ＡＢ）（ＢＣ）の図形部品が選択されている場合であって、前記測定項目リストＬＩから選択された現在設定中の測定項目が距離（Ｉｄ）であるものの、前記選択された２辺（ＡＢ）（ＢＣ）が平行線ではなくその距離が“０”になる場合は、当該図形部品を対象に数値変更が可能な測定項目ではないと判断されるので（ステップＳ４６（Ｎｏ））、前記スライダアイコンＩｓは前記測定項目リストＬＩに付加されない。
【００６５】
一方、図１０（Ｄ）に示すように、図形描画エリアＤに描画されて表示された三角形（ＡＢＣ）において（ステップＳ１〜Ｓ５）、その一辺（ＡＣ）が図形部品として選択され識別表示された状態で（ステップＳ１９（Ｙｅｓ），Ｓ２０）、前記測定ボックスＭの測定機能ボタンＢがタッチ選択されると（ステップＳ２１（Ｙｅｓ））、前記選択状態の図形部品が１辺（ＡＣ）であることが判断され（ステップＳ３０（Ｙｅｓ））、１辺の図形部品から測定可能な項目（長さ、傾き、傾斜角度、直線の式）を各アイコン（長さＩｄ、傾きＩｅ、傾斜角度Ｉｋ、直線の式Ｉｆ）で示した測定項目リストＬＩが表示される（ステップＳ３１）。
【００６６】
この測定項目リストＬＩにおいて、現在設定中の測定項目に対応したアイコン（ここでは長さアイコンＩｄ）は反転されて識別表示される（ステップＳ３２）。
【００６７】
ここで、現在設定中の測定項目が長さである、つまり前記選択された図形部品（１辺（ＡＣ））を対象に数値変更が可能な測定項目であると判断されると（ステップＳ３６（Ｙｅｓ））、当該測定項目の数値を簡単に変更するためのスライダＳＬの使用が可能であることを示すスライダアイコンＩｓが前記測定項目リストＬＩに付加されて表示される（ステップＳ３７）。
【００６８】
そして、前記測定項目が長さ（Ｉｄ）に設定された状態でのスライダアイコンＩｓがペンタッチされて選択されると（ステップＳ３８（Ｙｅｓ））、当該長さを変更するスライダＳＬ（図示せず）が、前記図形描画エリアＤの空き領域に表示される（ステップＳ３９）。
【００６９】
一方、図１０（Ｅ）に示すように、前記測定項目リストＬＩから傾きの測定項目（傾きアイコンＩｅ）が選択されると（ステップＳ３３（Ｙｅｓ））、現在設定中の測定項目（長さＩｄ）が当該選択された測定項目（傾きＩｅ）に変更され（ステップＳ３４）、前記測定ボックスＭに、変更された測定項目の傾きアイコンＩｅとその測定値“9.433…”が表示される（ステップＳ３５）。
【００７０】
この場合、前記測定項目リストＬＩから選択された現在設定中の測定項目は傾き（Ｉｅ）であり、長さ（Ｉｄ）ではないと判断され、当該図形部品（１辺（ＡＣ））を対象に数値変更が可能な測定項目ではないと判断されるので（ステップＳ３６（Ｎｏ））、前記スライダアイコンＩｓは前記測定項目リストＬＩに付加されない。
【００７１】
さらに、図１０（Ａ）に示すように、図形描画エリアＤに描画されて表示された円において（ステップＳ１〜Ｓ５）、その円が図形部品として選択され識別表示された状態で（ステップＳ１９（Ｙｅｓ），Ｓ２０）、前記測定ボックスＭの測定機能ボタンＢがタッチ選択されると（ステップＳ２１（Ｙｅｓ））、前記選択状態の図形部品が円であることが判断され（ステップＳ５０（Ｙｅｓ））、この図形部品から測定可能な項目（半径、円周、面積、円の式）を各アイコン（半径Ｉｏ、円周Ｉｐ、面積Ｉｑ、円の式Ｉｆ）で示した測定項目リストＬＩが表示される（ステップＳ５１）。
【００７２】
この測定項目リストＬＩにおいて、現在設定中の測定項目に対応したアイコン（ここでは半径アイコンＩｏ）は反転されて識別表示される（ステップＳ５２）。
【００７３】
ここで、現在設定中の測定項目が半径である、つまり前記選択された図形部品（円）を対象に数値変更が可能な測定項目であると判断されると（ステップＳ５６（Ｙｅｓ））、当該測定項目の数値を簡単に変更するためのスライダＳＬの使用が可能であることを示すスライダアイコンＩｓが前記測定項目リストＬＩに付加されて表示される（ステップＳ５７）。
【００７４】
そして、前記測定項目が半径（Ｉｏ）に設定された状態でのスライダアイコンＩｓがペンタッチされて選択されると（ステップＳ５８（Ｙｅｓ））、当該半径を変更するスライダＳＬ（図示せず）が、前記図形描画エリアＤの空き領域に表示される（ステップＳ５９）。
【００７５】
一方、図１０（Ｂ）に示すように、前記測定項目リストＬＩから面積の測定項目（面積アイコンＩｑ）が選択されると（ステップＳ５３（Ｙｅｓ））、現在設定中の測定項目（半径Ｉｏ）が当該選択された測定項目（面積Ｉｑ）に変更され（ステップＳ５４）、前記測定ボックスＭに、変更された測定項目の面積アイコンＩｑとその測定値“8.908…”が表示される（ステップＳ５５）。
【００７６】
この場合、前記測定項目リストＬＩから選択された現在設定中の測定項目は面積（Ｉｑ）であり、半径（Ｉｏ）ではないと判断され、当該図形部品（円）を対象に数値変更が可能な測定項目ではないと判断されるので（ステップＳ５６（Ｎｏ））、前記スライダアイコンＩｓは前記測定項目リストＬＩに付加されない。
【００７７】
したがって、前記構成のグラフ関数・図形電卓１０の図形表示制御機能によれば、前記図形描画エリアＤにて描画して表示させたユーザ任意の図形について、測定対象の図形部品を選択すると、当該選択された図形部品に応じて測定可能な項目を示すアイコンの一覧（測定項目リストＬＩ）が表示される。そして、この測定項目リストＬＩにおいて、現在選択されている図形部品を対象に数値変更が可能な測定項目のアイコンが選択された場合は、当該測定項目の数値を簡単に変更するためのスライダＳＬの使用が可能であることを示すスライダアイコンＩｓが当該測定項目リストＬＩに付加されて表示され、このスライダアイコンＩｓを選択することで、該当するスライダＳＬが前記図形描画エリアＤの空き領域に表示される。
【００７８】
このため、ユーザが指定した図形部分の値を前記スライダＳＬにより簡単に変更し容易に図形を変化させて表示させることが可能になる。
【００７９】
一方、図９（Ｅ）に示すように、前記図形描画エリアＤに表示された三角形（ＡＢＣ）の２辺（ＡＢ）（ＢＣ）が測定対象の図形部品として選択されている状態で、ユーザ操作Ｐ１に応じて描画[Draw]機能Ｗが選択されることによりプルダウン表示された描画機能リストＦにおいて（ステップＳ１（Ｙｅｓ））、スライダの設定項目[Slider]Ｓｌが選択される（ステップＳ６（Ｙｅｓ））。
【００８０】
すると、前記選択状態の図形部品が２辺（ＡＢ）（ＢＣ）であることが判断され（ステップＳ１１（Ｙｅｓ））、前記スライダの設定項目[Slider]Ｓｌから更にプルダウン表示されたスライダ選択メニューＳｌｍにおいて、当該図形部品（２辺（ＡＢ）（ＢＣ））で数値変更が可能な測定項目である角度[Angle]Ａ，補角[Supplementary Angle]Ｓ，距離[Length]Ｌが選択可能な濃色文字で表示され、数値変更が不可能な測定項目である半径[Radius]Ｒが選択不可能な薄色文字で表示される（ステップＳ１２）。
【００８１】
そして、前記スライダ選択メニューＳｌｍにおいて、数値変更が可能な測定項目である角度[Angle]ＡがペンタッチＰ２されて選択されると（ステップＳ１３（Ｙｅｓ））、図９（Ｆ）に示すように、当該角度を変更するスライダＳＬ[Angle]が、前記図形描画エリアＤの空き領域に表示される（ステップＳ１４）。
【００８２】
また、図１０（Ｃ）に示すように、前記図形描画エリアＤに表示された円が測定対象の図形部品として選択されている状態で、ユーザ操作Ｐ１に応じてプルダウン表示された描画機能リストＦのスライダの設定項目[Slider]Ｓｌが選択されると（ステップＳ１，Ｓ６，Ｓ１５（Ｙｅｓ））、更にプルダウンされたスライダ選択メニューＳｌｍにおいて、当該図形部品（円）で数値変更が可能な測定項目である半径[Radius]Ｒだけが選択可能な濃色文字で表示される（ステップＳ１６）。
【００８３】
そして、前記スライダ選択メニューＳｌｍにおいて、数値変更が可能な測定項目である半径[Radius]ＲがペンタッチＰ２されて選択されると（ステップＳ１７（Ｙｅｓ））、当該半径を変更するスライダＳＬ（図示せず）が、前記図形描画エリアＤの空き領域に表示される（ステップＳ１８）。
【００８４】
さらに、図１０（Ｆ）に示すように、前記図形描画エリアＤに表示された三角形（ＡＢＣ）の１辺（ＡＣ）が測定対象の図形部品として選択されている状態で、前記同様に、ユーザ操作Ｐ１に応じてプルダウン表示された描画機能リストＦのスライダの設定項目[Slider]Ｓｌが選択されると（ステップＳ１，Ｓ６，Ｓ７（Ｙｅｓ））、更にプルダウンされたスライダ選択メニューＳｌｍにおいて、当該図形部品（１辺（ＡＣ））で数値変更が可能な測定項目である長さ[Length]Ｌだけが選択可能な濃色文字で表示される（ステップＳ８）。
【００８５】
そして、前記スライダ選択メニューＳｌｍにおいて、数値変更が可能な測定項目である長さ[Length]ＬがペンタッチＰ２されて選択されると（ステップＳ９（Ｙｅｓ））、当該長さを変更するスライダＳＬ（図示せず）が、前記図形描画エリアＤの空き領域に表示される（ステップＳ１０）。
【００８６】
したがって、前記構成のグラフ関数・図形電卓１０の図形表示制御機能によれば、前記図形描画エリアＤにて描画して表示させたユーザ任意の図形について、測定対象の図形部品を選択し、前記描画機能リストＦのスライダの設定項目[Slider]Ｓｌからスライダ選択メニューＳｌｍをプルダウン表示させると、当該選択された図形部品で数値変更可能な測定項目が選択可能な濃色文字で表示され、数値変更が不可能な測定項目が選択不可能な薄色文字で表示される。
【００８７】
このため、ユーザが選択した前記測定対象の図形部品について、前記スライダＳＬの操作により容易に数値変更して図形を変化させることのできる測定項目があるかあるかどうか、またそれが何の測定項目かを一目で知ることができ、しかも当該測定項目を選択することで直ちに該当するスライダＳＬを表示させることができる。
【００８８】
よって、ユーザが指定した図形部分の値をより簡単に前記スライダＳＬを使用して変更し、更に容易に図形を変化させて表示させることが可能になる。
【００８９】
なお、前記各実施形態において記載した図形描画装置による各処理の手法およびデータベース、すなわち、図４〜図７のフローチャートに示す図形表示制御処理（その１）〜（その４）等の各手法、および図３に示すスライダパターンテーブル１５ｇ、スライダデータ（１５ｈ）等の各データベースは、何れもコンピュータに実行させることができるプログラムとして、メモリカード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記録装置の媒体に格納して配布することができる。そして、ユーザ入力可能な表示部を備えた電子機器のコンピュータ（制御装置）は、この外部記憶装置の媒体に記憶されたプログラムを記憶装置に読み込み、この読み込んだプログラムによって動作が制御されることにより、前記各実施形態において説明した図形描画機能を実現し、前述した手法による同様の処理を実行することができる。
【００９０】
また、前記各手法を実現するためのプログラムのデータは、プログラムコードの形態として通信ネットワーク上を伝送させることができ、この通信ネットワークに接続されたコンピュータ装置（プログラムサーバ）から前記プログラムのデータをユーザ入力可能な表示部を備えた電子機器に取り込んで記憶装置に記憶させ、前述した図形描画機能を実現することもできる。
【００９１】
さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【００９２】
以下に、本願出願の当初の特許請求の範囲に記載された発明を付記する。
【００９３】
［１］
表示部に表示された図形の部分をユーザ操作に応じて選択する図形部分選択手段と、
この図形部分選択手段により選択された図形部分に応じた測定項目とその測定値を前記表示部に表示させる測定情報表示手段と、
この測定情報表示手段により表示された測定項目が、予め定められたスライダ設定可能な種類の測定項目である場合は、当該スライダ設定可能であることを示すスライダ識別子を前記表示部に表示させるスライダ識別子表示手段と、
このスライダ識別子表示手段により表示されたスライダ識別子のユーザ操作に応じて、前記測定情報表示手段により表示された測定項目の値を変更するためのスライダを前記表示部に表示させるスライダ表示手段と、
このスライダ表示手段により表示されたスライダのユーザ操作に応じて、前記測定情報表示手段により表示された測定項目の値を変更し前記図形描画手段により描画された図形を変化させる図形描画変化手段と、
を備えたことを特徴とする図形描画装置。
【００９４】
［２］
前記測定情報表示手段は、
前記図形部分選択手段により選択された図形部分に応じた複数種類の値の測定項目を一覧表示させる測定項目一覧表示手段を有し、
この測定項目一覧表示手段により一覧表示された複数種類の測定項目からユーザ操作に応じて選択された測定項目とその測定値を表示させる、
ことを特徴とする［１］に記載の図形描画装置。
【００９５】
［３］
前記図形部分選択手段により選択された図形部分に応じた複数種類の値の測定項目のうち予め定められたスライダ設定可能な種類の測定項目を一覧表示させるスライダ可能測定項目表示手段を備え、
前記スライダ表示手段は、
前記スライダ識別子表示手段により表示されたスライダ識別子のユーザ操作に応じて、前記測定情報表示手段により表示された測定項目の値を変更するためのスライダを表示させる第１のスライダ表示手段と、
前記スライダ可能測定項目表示手段により一覧表示された測定項目のうちユーザ操作に応じて選択された測定項目の値を変更するためのスライダを表示させる第２のスライダ表示手段とを有する、
ことを特徴とする［１］または［２］に記載の図形描画装置。
【００９６】
［４］
前記図形部分選択手段により選択された図形部分に応じてスライダ設定可能な種類の測定項目は、当該図形部分が１辺の場合はその１辺の長さの測定項目であり、当該図形部分が２辺の場合はその２辺のなす角度又は補角又は距離の測定項目であり、当該図形部分が円の場合はその半径の測定項目である、
ことを特徴とする［１］ないし［３］の何れかに記載の図形描画装置。
【００９７】
［５］
前記表示部と、キー群またはタッチパネルを備え、前記キー群またはタッチパネルに対して前記ユーザ操作が行われる、
ことを特徴とする［１］ないし［４］の何れかに記載の図形描画装置。
【００９８】
［６］
表示部を備えた電子機器のコンピュータを制御するためのプログラムであって、
前記コンピュータを、
前記表示部に図形を描画する図形描画手段と、
この図形描画手段により描画された図形の部分をユーザ操作に応じて選択する図形部分選択手段と、
この図形部分選択手段により選択された図形部分に応じた値の測定項目とその測定値を前記表示部に表示させる測定情報表示手段と、
この測定情報表示手段により表示された測定項目が、予め定められたスライダ設定可能な種類の測定項目である場合は、当該スライダ設定可能であることを示すスライダ識別子を前記表示部に表示させるスライダ識別子表示手段と、
このスライダ識別子表示手段により表示されたスライダ識別子のユーザ操作に応じて、前記測定情報表示手段により表示された測定項目の値を変更するためのスライダを前記表示部に表示させるスライダ表示手段と、
このスライダ表示手段により表示されたスライダのユーザ操作に応じて、前記測定情報表示手段により表示された測定項目の値を変更し前記図形描画手段により描画された図形を変化させる図形描画変化手段、
として機能させるためのコンピュータ読み込み可能なプログラム。
【符号の説明】
【００９９】
１０  …グラフ関数・図形電卓
１１  …ＣＰＵ
１２  …キー入力部
１３  …タッチパネル表示部
１４  …記憶装置
１４ａ…電卓制御プログラム
１５  …ＲＡＭ
１５ａ…表示データ記憶領域
１５ｂ…タッチ座標データ記憶領域
１５ｃ…レンジデータ記憶領域
１５ｄ…図形データ記憶領域
１５ｅ…測定部品データ記憶領域
１５ｆ…測定項目データ記憶領域
１５ｇ…スライダパターンテーブル
１５ｈ…スライダデータ記憶領域
１６  …記録媒体読取部
１７  …外部記録媒体
１８  …通信制御部
ＧＭ  …[Geometry]アイコン
Ｇ  …図形画面
Ｄ  …図形描画エリア
Ｍ  …測定ボックス
Ｂ  …測定機能ボタン
Ｉａ，Ｉｂ，…測定項目アイコン
ＳＬ  …スライダ
Ｂｕ  …増ボタン
Ｂｄ  …減ボタン
Ｔ  …つまみ
Ｗ  …描画[Draw]機能
Ｆ  …描画機能リスト
Ｓｌ  …スライダ設定項目
Ｓｌｍ…スライダ選択メニュー
【図１】
2018097896.tif 000003
【図２】
2018097896.tif 000004
【図３】
2018097896.tif 000005
【図４】
2018097896.tif 000006
【図５】
2018097896.tif 000007
【図６】
2018097896.tif 000008
【図７】
2018097896.tif 000009
【図８】
2018097896.tif 000010
【図９】
2018097896.tif 000011
【図１０】
2018097896.tif 000012
【手続補正書】
【提出日】平成30年3月7日(2018.3.7)
【手続補正１】
【補正対象書類名】特許請求の範囲
【補正対象項目名】全文
【補正方法】変更
【補正の内容】
【特許請求の範囲】
【請求項１】
表示部において図形を描画する機能である描画機能を選択する機能選択手段と、
前記描画機能が選択されている場合に、前記表示部に描画された少なくとも１つの図形部分に応じた複数種類の測定項目のうち、当該測定項目の値を変更するためのスライダが設定可能とされる種類の測定項目を一覧表示させるスライダ設定可能項目表示手段と、
前記スライダ設定可能項目表示手段により一覧表示された測定項目がユーザ操作に応じて選択された場合には、前記スライダを前記表示部に表示させるスライダ表示手段と、
を備えたことを特徴とする図形描画装置。
【請求項２】
前記機能選択手段は、前記描画機能、あるいは、前記表示部に描画された図形のうち少なくとも１つの図形部分に対して複数種類の測定項目のうち測定可能な前記測定項目の測定を行う機能である測定機能を選択するものであり、
前記測定機能が選択されている場合に、前記表示部に描画された少なくとも１つの図形部分に応じた測定項目の一覧を前記表示部に表示させる項目情報表示手段をさらに備え、
前記スライダ表示手段は、
前記項目情報表示手段により表示された測定項目の一覧のうちユーザ操作に応じて選択された測定項目が、当該選択された測定項目の値を変更するための前記スライダが設定可能な種類の測定項目である場合にも、前記スライダを前記表示部に表示させる、
ことを特徴とする請求項１に記載の図形描画装置。
【請求項３】
前記表示部に描画された図形の部分に対するユーザ選択操作を受け付ける図形部分選択手段と、
前記スライダ表示手段により表示されたスライダに対するユーザ操作を受け付けて、前記項目情報表示手段により表示された測定項目の値を変更し前記表示部に描画された図形を変化させる図形描画変化手段と、
を備え、
前記項目情報表示手段は、
前記図形部分選択手段により選択された図形部分に応じた測定項目と当該測定項目の測定値を前記表示部に表示させる選択図形部分情報表示手段を有する、
ことを特徴とする請求項２に記載の図形描画装置。
【請求項４】
前記項目情報表示手段は、
前記図形部分選択手段により選択された図形部分に応じた複数種類の値の測定項目を一覧表示させる測定項目一覧表示手段と、
前記測定項目一覧表示手段により一覧表示された複数種類の測定項目からユーザ操作に応じて選択された測定項目と当該測定項目の測定値を表示させる選択測定項目情報表示手段と、
を有する、
ことを特徴とする請求項３に記載の図形描画装置。
【請求項５】
前記スライダ表示手段は、
前記項目情報表示手段により表示された測定項目の一覧のうちユーザ操作に応じて選択された測定項目が、前記スライダを設定可能な種類の測定項目である場合に、前記スライダを起動させるための第１スライダ起動子を表示部に表示させ、
前記スライダ設定可能項目表示手段は、
前記図形部分選択手段により選択された図形部分に応じた複数種類の値の測定項目のうち予め定められたスライダ設定可能な種類の測定項目を一覧表示させるとともに、前記予め定められたスライダ設定可能な種類の測定項目を、前記スライダを起動させるための第２スライダ起動子とし、
前記スライダ表示手段は、
前記第１スライダ起動子あるいは前記第２スライダ起動子のユーザ操作に応じて、前記スライダを表示させる、
ことを特徴とする請求項３または４に記載の図形描画装置。
【請求項６】
前記図形部分選択手段により選択された図形部分に応じてスライダ設定可能な種類の測定項目は、当該図形部分が１辺の場合は当該１辺の長さの測定項目であり、当該図形部分が２辺の場合は当該２辺のなす角度又は補角又は距離の測定項目であり、当該図形部分が円の場合は当該円の半径の測定項目である、
ことを特徴とする請求項３〜５の何れか１項に記載の図形描画装置。
【請求項７】
前記表示部と、キー群またはタッチパネルを備え、前記キー群またはタッチパネルに対して前記ユーザ操作が行われる、
ことを特徴とする請求項１〜６の何れか１項に記載の図形描画装置。
【請求項８】
表示部を備えた電子機器の図形描画方法であって、
前記表示部において図形を描画する機能である描画機能を選択する機能選択ステップと、
前記描画機能が選択されている場合に、前記表示部に描画された少なくとも１つの図形部分に応じた複数種類の測定項目のうち、当該測定項目の値を変更するためのスライダが設定可能とされる種類の測定項目を一覧表示させるスライダ設定可能項目表示ステップと、
前記スライダ設定可能項目表示ステップにより一覧表示された測定項目がユーザ操作に応じて選択された場合には、前記スライダを前記表示部に表示させるスライダ表示ステップと、
を含む図形描画方法。
【請求項９】
表示部を備えた電子機器のコンピュータを制御するためのプログラムであって、
前記コンピュータを、
前記表示部において図形を描画する機能である描画機能を選択する機能選択手段、
前記描画機能が選択されている場合に、前記表示部に描画された少なくとも１つの図形部分に応じた複数種類の測定項目のうち、当該測定項目の値を変更するためのスライダが設定可能とされる種類の測定項目を一覧表示させるスライダ設定可能項目表示手段、
前記スライダ設定可能項目表示手段により一覧表示された測定項目がユーザ操作に応じて選択された場合には、前記スライダを前記表示部に表示させるスライダ表示手段、
として機能させるためのコンピュータ読み込み可能なプログラム。
【手続補正２】
【補正対象書類名】明細書
【補正対象項目名】０００７
【補正方法】変更
【補正の内容】
【０００７】
本発明に係る図形描画装置は、表示部において図形を描画する機能である描画機能を選択する機能選択手段と、前記描画機能が選択されている場合に、前記表示部に描画された少なくとも１つの図形部分に応じた複数種類の測定項目のうち、当該測定項目の値を変更するためのスライダが設定可能とされる種類の測定項目を一覧表示させるスライダ設定可能項目表示手段と、前記スライダ設定可能項目表示手段により一覧表示された測定項目がユーザ操作に応じて選択された場合には、前記スライダを前記表示部に表示させるスライダ表示手段と、を備えたことを特徴としている。